(57)【特許請求の範囲】
【請求項１】
物品を保持する凹部片を有する冊子体において、
該凹部片は、
シート基材と、
該シート基材に貼着された軽量な保持部材と、
該保持部材に設けられた物品収納用貫通孔と、
該物品収納用貫通孔に連接部分を介して物品収納用貫通孔側に亘って設けられ、弾性体を嵌合する形状を有する弾性体収納用貫通孔と、
該弾性体収納用貫通孔に嵌合し、その断面が、該連接部分の幅よりも大きい直径を有する略円状の形状をした弾性体と、
を有し、
該弾性体の円中心は、該連接部分より弾性体収納用貫通孔側に位置し、
かつ、該弾性体が全体として変形し、該連接部分より、物品を前記物品収納用貫通孔側部に押圧する事で、物品を保持することを特徴とする冊子体。
【請求項２】
前記物品は、少なくとも対向する一組の側辺部分を有する形状であって、その一方の側辺部分を押圧する位置に前記弾性体が配置されていることを特徴とする請求項１記載の冊子体。
【請求項３】
前記弾性体収納用貫通孔は、連接部分と対向する位置に物品取り出し用貫通孔を有することを特徴とする請求項１及至請求項２記載の何れか記載の冊子体。
【請求項４】
凹部片と、該凹部片のシート基材に連設された背表紙片と、該背表紙片に連設された表紙片と、を有することを特徴とする請求項１及至請求項３記載の何れか記載の冊子体。
【請求項５】
凹部片と、該凹部片のシート基材に連設された背表紙片と、該背表紙片に連設された表紙片と、該表紙片に貼着された折丁体と、を有することを特徴とする請求項１及至請求項３記載の何れか記載の冊子体。
【請求項６】
凹部片と、該凹部片に設けられた折曲部分を有し、該折曲部分により折丁体と綴じられていることを特徴とする請求項１及至請求項３記載の何れか記載の冊子体。
【請求項７】
物品を保持してなる請求項１及至請求項６の何れか記載の冊子体。
【発明の詳細な説明】
【０００１】
【発明の属する技術分野】
本願発明は物品を保持する冊子体に関し、更に詳しくは、押圧することで物品を保持する冊子体に関する。
【０００２】
【従来の技術】
従来、物品を保持する冊子体としては、プラスチック成形品を採用したものが知られている。これは、物品の形状に合わせて製作されたプラスチック成形品を冊子体の一片に貼着したもので、プラスチック成形品は周囲の凸部分と内側の凹部分を有し、その凹部分に物品が嵌合して保持する構造を有している。その物品の保持は、凹部分の寸法を略物品よりひとまわり小さい寸法とすることで嵌合した物品を落とさない様にしており、これはプラスチック成形用金型の製造時に詳細に検討して設計される。
【０００３】
また、同様にプラスチック成形品であるが、蓋を有する箱状のものが知られている。これは、物品の形状に合わせて設計される場合と、汎用的な箱として設計されている場合があり、前者の場合は物品の形状に合わせて箱内部に係止用凸部が複数設けられて物品を保持する構造を有しており、後者の場合は箱内部に物品を入れその余白部分に紙等の詰め物をすることで物品を保持している。
【０００４】
【発明が解決しようとする課題】
しかしながら、上記の従来の技術には、プラスチック成形品を使用するため、重量がかさみコストが高いという課題を有していた。すなわち、冊子体は通常複数冊が重ねられて販売小売店等に輸送されるため、ある程度の強度を必要としており、従来の技術ではプラスチック成形品に強度を持たせるために肉厚を厚くする必要があり、その結果重量がかさんでいた。また、プラスチック成形品の凹部分で物品を保持するという設計思想上、プラスチック成形品の形状変形を防止するため全体で物品を挟持しつつ、物品が取り出せる程度に嵌合する様微妙に小さくつくる必要があり、物品毎に金型を作る必要があり汎用性が無く、金型製作代がコストを向上させる要因となっていた。更に、重量がかさむことで、輸送費用、郵送費用等のコストを向上させていた。本願発明は係る課題に鑑みなされたものであって、凹部分に物品を嵌合させて保持することを廃することで、汎用性を持ち、プラスチック成形品の採用を廃することで、重量の低減をはかり、もって低コストで生産できる物品を保持する冊子体を提供することにある。
【０００５】
【課題を解決するための手段】
上記課題を達成するため、本願発明の請求項１は、物品を保持する凹部片を有する冊子体において、該凹部片は、シート基材と、該シート基材に貼着された軽量な保持部材と、該保持部材に設けられた物品収納用貫通孔と、該物品収納用貫通孔に連接部分を介して物品収納用貫通孔側に亘って設けられ、弾性体を嵌合する形状を有する弾性体収納用貫通孔と、該弾性体収納用貫通孔に嵌合し、その断面が、該連接部分の幅よりも大きい直径を有する略円状の形状をした弾性体と、を有し、該弾性体の円中心は、該連接部分より弾性体収納用貫通孔側に位置し、かつ、該弾性体が全体として変形し、該連接部分より、物品を前記物品収納用貫通孔側部に押圧する事で、物品を保持することを特徴とする冊子体である。
【０００６】
すなわち、本願発明の請求項１によれば、弾性体収納用貫通孔に弾性体を嵌合させ、この弾性体の一部は連接部分より物品収納用貫通孔側に突出する構造を有している。従って、物品収納用貫通孔に物品を挿入した場合、突出した弾性体が全体として変形して、物品を物品収納用貫通孔側部に押圧し、もって物品を保持することが可能となる。従って、物品は必ずしも物品収納用貫通孔に嵌合しなくても突出した弾性体により絶えず圧力を受けることとなり、安定して保持されることとなる。また、押圧しているのは弾性体であるため、物品の収納時及び物品の取り出し時は弾性体が変形することで、容易に行なうことが可能となる。
【０００７】
ここで、物品とは、冊子体に綴じ込み可能な程度に偏平なものであって、弾性体からの押圧を受ける部分と、前記物品収納用貫通孔側部に押しつけられる部分があれば何れのものでも良いが、例えば、ＣＤケース、ＭＤケース、ＦＤケース等の情報記憶媒体のケース、ビデオカセット、オーディオカセット等のカセット類などがある。またここで、冊子体とは、主に紙等シート状物を綴ったものであるが、これに限定されず、単に折り畳んだものも含んでおり、例えば雑誌、書籍、カタログ、パンフレット、ゲーム収納本等がある。更に綴じ方法としては上製本形式として糸かがり、サイドミシン（アメリカミシン）、中ミシン、無線綴上製、アジロ綴、並製本形式として中綴、平綴、無線綴、アジロ綴、糸かがり（かがりきりつけ）、その他方式として南京製本、フランス表紙等がある。またここで、シート基材とは、シート状のものであれば材質を問うことはなく、例えば、紙、プラスチックフィルム等があり、紙は上質紙、アート紙、コート紙、板紙、厚紙、ダンボール紙等がある。またここで、保持部材とは、弾性体の押圧に対してある程度の強度をもった比較的軽量のものが良く、例えば紙、発泡ウレタン等がある。またここで、弾性体とは、弾力性を有するものであれば何れのものでも良く、例えば、発泡ウレタン、ゴム、クラリーノ等の合成皮等がある。
【０００８】
また、前記弾性体は断面略円状の形状を有し、前記弾性体収納用貫通孔は、連接部分を介して物品収納用貫通孔側に亘って設けられ、弾性体を嵌合する形状を有し、前記弾性体の円中心は、前記連設部分より弾性体収納用貫通孔側にある。よって、弾性体の主要部分は弾性体収納用貫通孔側にあり、その幅は連接部分より広いため、図５に基づいて後述するように、物品収納用貫通孔側に弾性体全体が落ちることで移動することが無く、弾性体を一定の位置に停止させることが可能となり、更に、接着剤等で固定することを省くことも可能である。また、製造作業中の弾性体を弾性体収納用貫通孔に嵌合させる工程においても、断面円状のため方向性を気にする必要が無く、効率を向上させることが可能となる。
【０００９】
ここで、断面略円状の形状とは、円に限定することなく楕円、変形円を含むものである。またここで、断面形状のみを限定しているのは、断面略円状の形状とは円柱に限定されるわけでは無く、例えば、球なども採用可能なためである。
【００１０】
また、本願発明の請求項２は、前記物品は、少なくとも対向する一組の側辺部分を有する形状であって、その一方の側辺部分を押圧する位置に前記弾性体が配置されている。すなわち、物品は少なくとも対向する一組の側辺部分を有する形状であり、その一側辺部分を押圧することで、もう一方の側辺部分全体を物品収納用貫通孔側部に押しつけることとなり、側辺部分全体が均等に圧力をうけることとなるため、より安定して物品を保持可能となる。ここで、少なくとも対向する一組の側辺部分を有する形状の物品とは、例えば、ＣＤケース、ＭＤケース、ＦＤケース等の情報記憶媒体のケース、ビデオカセット、オーディオカセット等のカセット類などがある。
【００１１】
また、本願発明の請求項３は、前記弾性体収納用貫通孔は、連接部分と対向する位置に物品取り出し用貫通孔を有している。すなわち、物品を取り出す際、収納する際において、指先等を挿入可能な物品取り出し用貫通孔を有することで、より容易に物品の出し入れを行なうことが可能となり、その位置を連接部分すなわち弾性体と対向する位置に設けたため、挿入した指先で物品を押すことで弾性体を変形させることができ、より容易に物品の出し入れを行なうことが可能となる。ここで、物品取り出し用貫通孔の断面形状は何れの形を採用してもよいが、指先等を挿入する関係上、角の少ない略円状またはそれに類する形状が好ましい。またここで、物品取り出し用貫通孔の数は幾つでもよい。
【００１２】
また、本願発明の請求項４は、凹部片と、該凹部片のシート基材に連設された背表紙片と、該背表紙片に連設された表紙片とを有している。すなわち、本願発明の請求項４によれば、凹部片のシート基材に背表紙片と表紙片が順次連設されており、各々の連設部分で折り曲げることで、表紙片は凹部片覆うこととなり、冊子体の流通形態をとることが可能となる。ここで、背表紙片の幅は少なくとも凹部片の保持部材の幅が必要である。
【００１３】
また、本願発明の請求項５は、凹部片と、該凹部片のシート基材に連設された背表紙片と、該背表紙片に連設された表紙片と、該表紙片に貼着された折丁体と、を有している。すなわち本願発明の請求項５によれば、凹部片のシート基材に背表紙片と表紙片が順次連設されており、更に表紙片に折丁体が貼着しているため、各々の連設部分で折り曲げることで、表紙片は凹部片覆うこととなり、冊子体の流通形態をとることが可能となる。ここで、背表紙片の幅は少なくとも凹部片の保持部材の幅と折丁体の幅を合わせた幅が必要である。ここで、折丁体とは紙等を折ってなされた綴り状のもので、通常読み物としての印刷がなされており、綴じ方法としては並製本形式としての中綴、平綴、無線綴、アジロ綴、糸かがり（かがりきりつけ）がある。
【００１４】
また、本願発明の請求項６は、凹部片と、該凹部片に設けられた折曲部分を有し、該折曲部分により折丁体と綴じられている。すなわち、本願発明の請求項６によれば、凹部片は折曲部分を有し、その折曲部分又はその側辺部分で折丁体と綴じられて、冊子体の流通形態をとることが可能となる。ここで、凹部片と折丁体の綴じ方法としては上製本形式として糸かがり、サイドミシン（アメリカミシン）、中ミシン、無線綴上製、アジロ綴、並製本形式として平綴、無線綴、アジロ綴、糸かがり（かがりきりつけ）、その他方式として南京製本、フランス表紙等がある。その中で、代表的なものとしては上製本形式の各方式、並製本形式として平綴、無線綴である。また中綴じを採用する場合は、該凹部片に折曲部分を設けず、シート基材だけを延長し、その延長したシート基材に折曲部分を設け、その折曲部分に針金を通す方法を採用する。
【００１５】
また、本願発明の請求項７は、物品を保持してなる請求項１及至請求項６の何れか記載の冊子体である。すなわち、請求項１及至請求項６は物品を請求の範囲に含めていないが、請求項８は物品を請求の範囲に含めている。
【００１６】
【発明の実施の形態】
以下、本願発明の実施の形態を図面に従って説明する。図１は、本願発明の冊子体の全体形状を示す概念図である。図１において、１は冊子体、２は凹部片、３はシート基材、４はシート基材３に貼着された保持部材、５は保持部材４に設けられた物品収納用貫通孔、６は弾性体収納用貫通孔、７は物品収納用貫通孔５と弾性体収納用貫通孔６の連接部分、８は弾性体収納用貫通孔６に嵌合した弾性体、９は物品取り出し用貫通孔、１０はシート基材３と連設する背表紙片、１１は背表紙片１０と連設する表紙片、１２はシート基材３と背表紙片１０の連設部分に位置する折曲部分、１３は背表紙片１０と表紙片１１の連設部分に位置する折曲部分、１４は物品収納用貫通孔側部である。
【００１７】
本実施例において、シート基材３は厚紙、保持部材４は合紙厚紙、弾性体８は発泡ウレタン、背表紙片１０は厚紙、表紙片１１は厚紙で、シート基材３、背表紙片１０と表紙片１１は一枚の厚紙よりなり、そして図示しない物品は情報記憶媒体のケースであるＣＤケースを採用している。図１において、物品は物品収納用貫通孔５に収納され、連接部分７より物品収納用貫通孔５側に突出している弾性体８の一部により押圧されて、物品収納用貫通孔側部１４に押しつけられて保持される。また、弾性体８は断面略円状の形状をしており、その中心が弾性体収納用貫通孔６側に来るように嵌合しており、特に接着剤等を用いて接着せずとも定位置に位置する。本実施例においては、特に接着剤を用いていないため、弾性体８は全体として変形し、より安定して物品を保持することが可能となっている。更に、背表紙片１０と表紙片１１は各々折曲部分１２、折曲部分１３で矢印Ａ方向に折り曲げられており、冊子体の流通形態を成している。
【００１８】
本実施例において、シート基材３の保持部材４が貼着されていない面に印刷が施されており、背表紙片１０と表紙片１１は両面に印刷が施されている。また、保持部材４のシート基材３が貼着されていない面は特に印刷を施していないが、必要に応じて、印刷を施してもよい。また、保持部材４のシート基材３が貼着されていない面に更にシートを貼着して物品を覆っても良く、そのシートは透明、不透明いずれでも良く、更にシートに印刷を施しても良い。更に、保持部材４の厚さは本実施例の場合少なくとも情報記憶媒体のケースであるＣＤケースと略同等の厚さであり、一般的には７ｍｍから１０ｍｍ程度であるが、これに限定するものでは無い。
【００１９】
図２は、本願発明の冊子体の全体形状を示す概念図である。図２において、２１は冊子体、２２は凹部片、２３はシート基材、２４はシート基材２３に貼着された保持部材、２５は保持部材２４に設けられた物品収納用貫通孔、２６は弾性体収納用貫通孔、２７は物品収納用貫通孔２５と弾性体収納用貫通孔２６の連接部分、２８は弾性体収納用貫通孔２６に嵌合した弾性体、２９は物品取り出し用貫通孔、３０はシート基材２３と連設する背表紙片、３１は背表紙片３０と連設する表紙片、３２はシート基材２３と背表紙片３０の連設部分に位置する折曲部分、３３は背表紙片３０と表紙片３１の連設部分に位置する折曲部分、３４は物品収納用貫通孔側部、３５は折丁体である。
【００２０】
本実施例において、シート基材２３は厚紙、保持部材２４は合紙厚紙、弾性体２８は発泡ウレタン、背表紙片３０は厚紙、表紙片３１は厚紙でシート基材２３、背表紙片３０と表紙片３１は一枚の厚紙よりなり、折丁体３５はコート紙を無線綴じして、くるみ表紙でくるみ、三方断裁したものを、そして図示しない物品は情報記憶媒体のケースであるＣＤケースを採用している。図２において、物品は物品収納用貫通孔２５に収納され、連接部分２７より物品収納用貫通孔２５側に突出している弾性体２８の一部により押圧されて、物品収納用貫通孔側部３４に押しつけられて保持される。また、弾性体２８は断面略円状の形状をしており、その中心が弾性体収納用貫通孔２６側に来るように嵌合しており、特に接着剤等を用いて接着せずとも定位置に位置する。本実施例においては、特に接着剤を用いていないため、弾性体２８は全体として変形し、より安定して物品を保持することが可能となっている。更に、背表紙片３０と表紙片３１は各々折曲部分３２、折曲部分３３で矢印Ａ方向に折り曲げられており、冊子体の流通形態を成している。折丁体３５はくるみ表紙の一面を表紙体３１に貼着してあり、その背方向は凹部片側、その反対側の何れでも良いが、本実施例では凹部片側に背が来るよう貼着している。
【００２１】
本実施例において、シート基材２３の保持部材２４が貼着されていない面に印刷が施されており、表紙片３１の折丁体３５が貼着されていない面に印刷が施されており、背表紙片３０は両面に印刷が施されている。また、保持部材２４のシート基材２３が貼着されていない面は特に印刷を施していないが、必要に応じて、印刷を施してもよい。また、保持部材２４のシート基材２３が貼着されていない面に更にシートを貼着して物品を覆っても良く、そのシートは透明、不透明いずれでも良く、更にシートに印刷を施しても良い。更に、保持部材２４の厚さは本実施例の場合少なくとも情報記憶媒体のケースであるＣＤケースと略同等の厚さであり、一般的には７ｍｍから１０ｍｍ程度であるが、これに限定するものでは無い。更に折丁体３５はその全頁に印刷が施され読み物として使用できるようにしてある。
【００２２】
図３は、本願発明の冊子体の全体形状を示す概念図である。図３において、４１は冊子体、４２は凹部片、４３はシート基材、４４はシート基材４３に貼着された保持部材、４５は保持部材４４に設けられた物品収納用貫通孔、４６は弾性体収納用貫通孔、４７は物品収納用貫通孔４５と弾性体収納用貫通孔４６の連接部分、４８は弾性体収納用貫通孔４６に嵌合した弾性体、４９は物品取り出し用貫通孔、５０はシート凹部片が接着されている背表紙片、５１は背表紙片５０と連設する表紙片、５４は背表紙片５０と連設する表紙片、５２は表紙片５４と背表紙片５０の連設部分に位置する折曲部分、５３は背表紙片５０と表紙片５１の連設部分に位置する折曲部分、５４は物品収納用貫通孔側部、５５は複数の折丁、５６は凹部片４２に設けられた折曲部分である。
【００２３】
本実施例において、シート基材４３は厚紙、保持部材４４は合紙厚紙、弾性体４８は発泡ウレタン、背表紙片５０は厚紙、表紙片５１は厚紙、表紙片５４は厚紙で表紙片５４、背表紙片３０と表紙片３１は一枚の厚紙よりなり、複数の折丁５５はコート紙、そして図示しない物品は情報記憶媒体のケースであるＣＤケースを採用している。図３において、物品は物品収納用貫通孔４５に収納され、連接部分４７より物品収納用貫通孔４５側に突出している弾性体４８の一部により押圧されて、物品収納用貫通孔側部５４に押しつけられて保持される。また、弾性体４８は断面略円状の形状をしており、その中心が弾性体収納用貫通孔４６側に来るように嵌合しており、特に接着剤等を用いて接着せずとも定位置に位置する。本実施例においては、特に接着剤を用いていないため、弾性体４８は全体として変形し、より安定して物品を保持することが可能となっている。更に、背表紙片５０と表紙片５１、表紙片５４は各々折曲部分５２、折曲部分５３で矢印Ａ方向に折り曲げられており、冊子体の流通形態を成している。複数の折丁５５は、背表紙片５０に無線綴じ方式で、ホットメルト接着剤により接着されている。また、凹部片４２は折曲部分５６で折れ曲がる様に構成してあり、この折曲部分５６の側部が複数の折丁５５と同時に、背表紙片５０に無線綴じ方式で、ホットメルト接着剤により接着されている。尚、凹部片４２は折曲部分５６で折れ曲がる様に構成したのは、冊子体１をひろげて読む際に、邪魔にならないようするためである。
【００２４】
本実施例において、表紙片５１、表紙片５４、複数の折丁５５にはその両面に印刷が施されており、背表紙片５０は複数の折丁５５等が接着されていない面に印刷が施されており、冊子体４１は書籍、雑誌の形態をとっている。また、保持部材２４のシート基材２３が貼着されていない面は特に印刷を施していないが、必要に応じて、印刷を施してもよい。また、凹部片４２の両面には印刷を施していないが、必要に応じて印刷を施しても良く、また、保持部材４４のシート基材４３が貼着されていない面に更にシートを貼着して物品を覆っても良く、そのシートは透明、不透明いずれでも良く、更にシートに印刷を施しても良い。更に、保持部材４４の厚さは本実施例の場合少なくとも情報記憶媒体のケースであるＣＤケースと略同等の厚さであり、一般的には７ｍｍから１０ｍｍ程度であるが、これに限定するものでは無い。更に本実施例は並製本形式の無線綴じを採用しているが、これに限定するものでは無く、上製本形式として糸かがり、サイドミシン（アメリカミシン）、中ミシン、無線綴上製、アジロ綴、並製本形式として平綴、アジロ綴、糸かがり（かがりきりつけ）、その他方式として南京製本、フランス表紙等を採用しても良い。
【００２５】
図４は、本願発明の凹部片の全体形状を示す概念図である。図４は、図３に示す冊子体の凹部片をもちいて、その詳細な構造を説明している。図４において、６２は凹部片、６３はシート基材、６４はシート基材４３に貼着された保持部材、６５は保持部材６４に設けられた物品収納用貫通孔、６６は弾性体収納用貫通孔、６７は物品収納用貫通孔６５と弾性体収納用貫通孔６６の連接部分、６８は弾性体収納用貫通孔６６に嵌合した弾性体、６９は物品取り出し用貫通孔、７０は凹部片６２に設けられた折曲部材、７１は切取線、７２は物品収納用貫通孔側部、７３は物品である。本実施例において、シート基材６３は厚紙、保持部材６４は合紙厚紙、弾性体６８は発泡ウレタン、物品７３は情報記憶媒体のケースであるＣＤケース、７４は折曲部材側部片である。
【００２６】
図４において、保持部材６５には打ち抜き加工で物品収納用貫通孔６５、弾性体収納用貫通孔６６、物品取り出し用貫通孔６９が形成されており、物品収納用貫通孔６５、弾性体収納用貫通孔６６は連接部分６６でつながっている。保持部材６５はシート基材６３に接着剤で貼着している。そして、弾性体６８は発泡ウレタンを断面略円状の形状の円柱で打ち抜いて作成し、これを弾性体収納用貫通孔６６に、その中心が弾性体収納用貫通孔６６側に来るように嵌合しており、特に接着剤等を用いて接着せずとも定位置に位置する。本実施例においては、特に接着剤を用いていないため、弾性体６８は全体として変形し、より安定して物品を保持することが可能となっている。そして物品７３は物品収納用貫通孔６５に収納され、連接部分６７より物品収納用貫通孔６５側に突出している弾性体６８の一部により押圧されて、物品収納用貫通孔側部７２に押しつけられて保持される。切取線７１は、保持部材６５とシート基材６３を接着剤で貼着したのち、切取り加工を施すことで形成され、本実施例では、シート基材６３を切り取らず保持部材６５のみを断裁することで、折曲部材７０を形成している。そして図３の冊子体のように無線綴じ方式で綴じる場合は、折曲部材側部片７４で綴じることとなる。
【００２７】
図５は、本願発明の凹部片の一部形状を示す概念図である。図５は、図４に示す凹部片の矢印Ａで示す部分の拡大図である。図５において、８１は保持部材に設けられた物品収納用貫通孔の一部、８２は弾性体収納用貫通孔、８３は弾性体収納用貫通孔８２に嵌合した弾性体、８４は弾性体８３の中心点、８５は物品収納用貫通孔８１と弾性体収納用貫通孔８２の連接部分である。図５において、弾性体８３は弾性体収納用貫通孔８２に嵌合しており、その一部が連接部分８５を通じて、物品収納用貫通孔８１に弾性体８３の矢印Ｃで示す一部が突出している。その際、中心点８４は弾性体収納用貫通孔８２側にあり、矢印Ｂで示す連接部分８５の幅よりも弾性体８３の直径が大きいため、接着せずとも弾性体８３が物品収納用貫通孔８１に移動することは無い。無論、弾性体８３を図示しないシート基材に接着しても良く、その接着は全面であっても、弾性体収納用貫通孔８２側の部分だけであっても良い。弾性体の保持可能な物品の重量は、矢印Ｃの長さに大きく影響され、矢印Ｃの寸法を大きくとることで、保持可能重量を増加させることができるが、好ましくは２ｍｍから１２ｍｍの範囲に設定すれば、約１００ｇ程度の重量までなら保持可能である。尚、本実施例では弾性体８３の直径を１５ｍｍ、矢印Ｃの寸法を４ｍｍに設定しているがこれに限定するものでは無い。
【００２８】
図６は、本願発明の凹部片の形状のバリエーションを示す概念図である。図６において、９１は凹部片、９２は凹部片、９３は凹部片、９４は凹部片、９５は物品取り出し用貫通孔、９６は物品収納用貫通孔、９７弾性体である。また両側矢印は弾性体９７の押圧方向、一方矢印は物品収納用貫通孔９６の押し戻す力の方向である。本願発明において、弾性体９７の数と位置は特に限定されるものでは無く、図６において、そのバリエーションを例示している。凹部片９１は図１から図５で説明したものであり、弾性体９７の押圧力に直接対向する位置に物品取り出し用貫通孔９５があるため、その両側側部で押し戻している。凹部片９２は弾性体９７が２個設置されており、各々の押圧力に対して直接押し戻しているため、凹部片９１に比較して安定して物品を保持することが可能である。凹部片９３は弾性体９７が３個設置されており、各々の押圧力に対して直接押し戻すと同時に物品収納用貫通孔９６の位置に対しても弾性体９７が配置されているため、より安定して物品を保持することが可能である。凹部片９４は弾性体９７が２個設置されているが異なる方向に押圧力を欠けており、更に安定して物品を保持することが可能である。以上のように本願発明では、弾性体の設置の数と位置を自由に組み合わせることが可能である。
【００２９】
図７は、本願発明の凹部片の形状のバリエーションを示す概念図である。図７において、９８は凹部片、９９は凹部片、１００は凹部片、１０１は凹部片、１０２は物品取り出し用貫通孔、１０３は物品収納用貫通孔、１０４は弾性体である。また両側矢印は弾性体１０４の押圧方向、一方矢印は物品収納用貫通孔１０３の押し戻す力の方向である。本願発明において、物品収納用貫通孔の数、位置及び形状は特に限定されるものでは無く、図７において、そのバリエーションを例示している。凹部片９８は図１から図５で説明したものの方向を変更したものであり、弾性体１０４の押圧力に直接対向する位置に物品取り出し用貫通孔１０２があるため、その両側側部で押し戻している。凹部片９９は物品収納用貫通孔１０３が２個配置されており、その各々に弾性体１０４と物品取り出し用貫通孔１０２が各一個配置されている。凹部片１００は物品収納用貫通孔１０３が２個配置されており、弾性体１０４が両方に共通して使用されて、物品取り出し用貫通孔１０２が各一個配置されている。凹部片１０１は物品収納用貫通孔１０３が長細く変形しているものである。以上のように本願発明では、物品収納用貫通孔の設置の数、位置、形状を自由に組み合わせることが可能である。無論、これに弾性体の位置と数のバリエーションを組み合わせても良い。
【００３０】
【発明の効果】
以上の様に本願発明の請求項１によれば、弾性体収納用貫通孔に弾性体を嵌合させ、この弾性体の一部は連接部分より物品収納用貫通孔側に突出する構造を有している。従って、物品収納用貫通孔に物品を挿入した場合、突出した弾性体が全体として変形して物品を物品収納用貫通孔側部に押圧し、もって物品を保持することが可能となる。従って、物品は必ずしも物品収納用貫通孔に嵌合しなくても突出した弾性体により絶えず圧力を受けることとなり、安定して保持されることとなる。また、押圧しているのは弾性体であるため、物品の収納時及び物品の取り出し時は弾性体が変形することで、容易に行なうことが可能となるという作用効果を奏する。
【００３１】
また、弾性体の主要部分は弾性体収納用貫通孔側にあり、その幅は連接部分より広いため、物品収納用貫通孔側に弾性体全体が落ちることで移動することが無く、弾性体を一定の位置に停止させることが可能となり、更に、接着剤等で固定することを省くことも可能である。また、製造作業中の弾性体を弾性体収納用貫通孔に嵌合させる肯定においても、断面円状のため方向性を気にする必要が無く、効率を向上させることが可能となるという作用効果を奏する。
【００３２】
また、本願発明の請求項２は、物品は少なくとも対向する一組の側辺部分を有する形状であり、その一側辺部分を押圧することで、もう一方の側辺部分全体を物品収納用貫通孔側部に押しつけることとなり、側辺部分全体が均等に圧力をうけることとなるため、より安定して物品を保持可能となるという作用効果を奏する。
【００３３】
また、本願発明の請求項３によれば、物品を取り出す際、収納する際において、指先等を挿入可能な物品取り出し用貫通孔を有することで、より容易に物品の出し入れを行なうことが可能となり、その位置を連接部分すなわち弾性体と対向する位置に設けたため、挿入した指先で物品を押すことで弾性体を変形させることができ、より容易に物品の出し入れを行なうことが可能となるという作用効果を奏する。
【００３４】
また、本願発明の請求項４によれば、凹部片のシート基材に背表紙片と表紙片が順次連設されており、各々の連設部分で折り曲げることで、表紙片は凹部片覆うこととなり、冊子体の流通形態をとることが可能となるという作用効果を奏する。
【００３５】
また、本願発明の請求項５によれば、凹部片のシート基材に背表紙片と表紙片が順次連設されており、更に表紙片に折丁体が貼着しているため、各々の連設部分で折り曲げることで、表紙片は凹部片覆うこととなり、冊子体の流通形態をとることが可能となるという作用効果を奏する。
【００３６】
また、本願発明の請求項６によれば、凹部片は折曲部分を有し、その折曲部分又はその側辺部分で折丁体と綴じられて、冊子体の流通形態をとることが可能となるという作用効果を奏する。
【図面の簡単な説明】
【図１】図１は、本願発明の冊子体の全体形状を示す概念図である。
【図２】図２は、本願発明の冊子体の全体形状を示す概念図である。
【図３】図３は、本願発明の冊子体の全体形状を示す概念図である。
【図４】図４は、本願発明の凹部片の全体形状を示す概念図である。
【図５】図５は、本願発明の凹部片の一部形状を示す概念図である。
【図６】図６は、本願発明の凹部片の形状のバリエーションを示す概念図である。
【図７】図７は、本願発明の凹部片の形状のバリエーションを示す概念図である。
【符号の説明】
６２…凹部片、６３…シート基材、６４…保持部材、６５…物品収納用貫通孔、６６…弾性体収納用貫通孔、６７…連接部分、６８…弾性体、６９…物品取り出し用貫通孔、７０…折曲部材、７１…切取線、７２…物品収納用貫通孔側部、７３…物品
【図１】
0003591163.tif 000002
【図２】
0003591163.tif 000003
【図３】
0003591163.tif 000004
【図４】
0003591163.tif 000005
【図５】
0003591163.tif 000006
【図６】
0003591163.tif 000007
【図７】
0003591163.tif 000008